(57)【要約】【課題】ＥＶＦを介して撮影者により視認される被写体像の視認性向上とＥＶＦに着目した低消費電力化とを両立させることができるようにする。【解決手段】ＥＶＦ（電子ビューファインダ）を備えた撮像装置は、ＥＶＦのファインダ光路中に挿抜可能な拡大用レンズと、ファインダ光路中に拡大用レンズを挿抜させる拡大用レンズ駆動部と、ＥＶＦの表示部に表示させる表示画像を撮像画像から生成する画像生成部と、ファインダ光路中に拡大用レンズを挿抜させるように拡大用レンズ駆動部を制御すると共に、拡大用レンズの挿抜に応じて異なる表示画像を撮像画像から生成するように画像生成部を制御する制御部とを具備する。【選択図】図２
2014064094.tif 000002
【特許請求の範囲】
【請求項１】
電子ビューファインダを備えた撮像装置において、
前記電子ビューファインダのファインダ光路中に挿抜可能な拡大用レンズと、
前記ファインダ光路中に前記拡大用レンズを挿抜させる拡大用レンズ駆動部と、
前記電子ビューファインダの表示部に表示させる表示画像を撮像画像から生成する画像生成部と、
前記ファインダ光路中に前記拡大用レンズを挿抜させるように前記拡大用レンズ駆動部を制御すると共に、前記拡大用レンズの挿抜に応じて異なる表示画像を前記撮像画像から生成するように前記画像生成部を制御する制御部と、
を具備することを特徴とする撮像装置。
【請求項２】
前記異なる表示画像は、異なる解像度の表示画像である、
ことを特徴とする請求項１記載の撮像装置。
【請求項３】
さらに、前記撮像装置は、
撮影準備動作を指示するための第１の操作部と、
記録用画像の撮像を指示するための第２の操作部と、
を具備し、
前記制御部は、
前記第１の操作部の指示に応じて、前記ファインダ光路中に前記拡大用レンズを挿入させるように前記拡大用レンズ駆動部を制御すると共に、低解像度の表示画像を前記撮像画像から生成するように前記画像生成部を制御し、
前記第２の操作部の指示に応じて、前記ファインダ光路中から前記拡大用レンズを抜出させるように前記拡大用レンズ駆動部を制御すると共に、高解像度の表示画像を前記撮像画像から生成するように前記画像生成部を制御する、
ことを特徴とする請求項２記載の撮像装置。
【請求項４】
さらに、前記撮像装置は、
マクロモードを指示するためのマクロ操作部と、
デジタルズームを指示するためのデジタルズーム操作部と、
前記撮影レンズのテレ動作又はワイド動作を指示するための光学ズーム操作部と、
を具備し、
前記制御部は、
前記デジタルズーム操作部の指示に応じて、前記ファインダ光路中に前記拡大用レンズを挿入させるように前記拡大用レンズ駆動部を制御すると共に、低解像度の表示画像を前記撮像画像から生成するように前記画像生成部を制御し、
前記マクロ操作部又は前記光学ズーム操作部の指示に応じて、前記ファインダ光路中から前記拡大用レンズを抜出させるように前記拡大用レンズ駆動部を制御すると共に、高解像度の表示画像を前記撮像画像から生成するように前記画像生成部を制御する、
ことを特徴とする請求項１記載の撮像装置。
【請求項５】
さらに、前記撮像装置は、
動作モードを指示するための動作モード操作部、
を具備し、
前記制御部は、
前記動作モード操作部による特定の動作モードの指示に応じて、前記ファインダ光路中に前記拡大用レンズを挿入させるように前記拡大用レンズ駆動部を制御すると共に、低解像度の表示画像を前記撮像画像から生成するように前記画像生成部を制御する、
ことを特徴とする請求項１記載の撮像装置。
【請求項６】
前記特定の動作モードは、動きの早い被写体の撮影に適した動作モード、又は、動画撮影を可能にする動作モードである、
ことを特徴とする請求項５記載の撮像装置。
【請求項７】
前記撮像画像の取得に用いられる撮像素子は、隣接する複数の画素の電荷を加算して読み出す画素加算読み出しモードと全画素に対応する電荷を読み出す全画素読み出しモードとを含む複数の駆動モードを有する撮像素子であり、
前記制御部は、
前記撮像素子が画素加算読み出しモードで駆動する場合に、前記ファインダ光路中に前記拡大用レンズを挿入させるように前記拡大用レンズ駆動部を制御すると共に、低解像度の表示画像を前記撮像画像から生成するように前記画像生成部を制御し、
前記撮像素子が全画素読み出しモードで駆動する場合に、前記ファインダ光路中から前記拡大用レンズを抜出させるように前記拡大用レンズ駆動部を制御すると共に、高解像度の表示画像を前記撮像画像から生成するように前記画像生成部を制御する、
ことを特徴とする請求項１記載の撮像装置。
【請求項８】
電子ビューファインダを備えた撮像装置において、
前記電子ビューファインダのファインダ光路中に挿抜可能な拡大用レンズと、
前記ファインダ光路中に前記拡大用レンズが挿抜されたことを検出する拡大用レンズ検出部と、
前記電子ビューファインダの表示部に表示させる表示画像を撮像画像から生成する画像生成部と、
前記拡大用レンズ検出部の検出結果に応じて異なる解像度の表示画像を前記撮像画像から生成するように前記画像生成部を制御する制御部と、
を具備することを特徴とする撮像装置。
【請求項９】
前記表示部は、液晶表示部又は有機ＥＬ表示部である、
ことを特徴とする請求項１乃至８の何れか一項に記載の撮像装置。
【請求項１０】
コンピュータが、
電子ビューファインダのファインダ光路中に拡大用レンズを挿抜させ、
前記拡大用レンズの挿抜に応じて、前記電子ビューファインダの表示部に表示させる表示画像として異なる解像度の表示画像を撮像画像から生成する、
処理を実行することを特徴とする画像処理方法。
【請求項１１】
コンピュータに、
電子ビューファインダのファインダ光路中に拡大用レンズを挿抜させ、
前記拡大用レンズの挿抜に応じて、前記電子ビューファインダの表示部に表示させる表示画像として異なる解像度の表示画像を撮像画像から生成する、
処理を実行させることを特徴とする画像処理プログラム。
【発明の詳細な説明】
【技術分野】
【０００１】
本発明は、電子ビューファインダを備えた撮像装置に関する。
【背景技術】
【０００２】
近年、デジタルカメラ等の撮像装置においては、低消費電力化が望まれている。特に、電力供給に限りがあるバッテリー駆動の携帯型の撮像装置においては、静止画撮影枚数や動画撮影時間を増やす等の目的のために、それが強く望まれている。
【０００３】
撮像装置の低消費電力化に関しては、次のような技術が知られている。
例えば、デジタルカメラにおいて、指定された解像度に対して固体撮像センサの使用する領域を変更できるようにした技術が知られている（例えば特許文献１参照）。このカメラでは、解像度を低くした場合に、その解像度に合わせて撮影で使用する領域だけを使用して撮影を行うので、消費電力を下げることが可能である。
【０００４】
一方、撮像装置においては、ＥＶＦ（Electronic View Finder：電子ビューファインダ）を備えた撮像装置がある。ＥＶＦは、撮像素子により撮像された被写体像に応じた画像データをファインダ内の表示部に表示する構成を有する。そのため、撮像素子により撮像される被写体像をファインダへ導くための光学系を設けることなく、撮像素子により撮像される被写体像と、ファインダを介して撮影者により視認される被写体像とを同じにすることが可能である。
【０００５】
ＥＶＦを備えた撮像装置に関しては、次のようなデジタルカメラが知られている。
例えば、ＥＶＦが所定の解像度と所定の更新レートに設定される第１の表示モードと、ＥＶＦが第１の表示モードの所定の解像度よりも低く、かつ、第１の表示モードの所定の更新レートよりも高い状態である第２の表示モードと、に切り換え可能なデジタルカメラが知られている（例えば特許文献２参照）。このカメラでは、選択された撮影シーンに応じて、第１の表示モードと第２の表示モードとのいずれかに自動的に切り替えられる。例えば、選択されたポートレートモードに応じて第１の表示モードに切り替えられ、選択されたスポーツモードに応じて第２の表示モードに切り替えられる。
【先行技術文献】
【特許文献】
【０００６】
【特許文献１】特開２００６−７４６７７号公報
【特許文献２】特開２００６−２５００８号公報
【発明の概要】
【発明が解決しようとする課題】
【０００７】
特許文献２に記載のデジタルカメラのようにＥＶＦの解像度の切り替えが行われる撮像装置においては、ＥＶＦを介して撮影者により視認される被写体像の視認性向上とＥＶＦに着目した低消費電力化とを両立させた撮像装置は未だ実現されていない。
【０００８】
なお、特許文献２に記載されているようなデジタルカメラでは、選択された撮影シーンに応じてＥＶＦの解像度が切り替わることに伴い、ＥＶＦを介して撮影者により視認される被写体像のサイズが変わることになる。そのため、使用上、撮影者に違和感を与える虞があり、視認性が良いとは言えない。また、特許文献１に記載されているようなデジタルカメラでは、固体撮像センサに着目した低消費電力化は行われているものの、ＥＶＦに着目した低消費電力化は行われていない。そのため、特許文献１に記載されているような技術を適用しても、ＥＶＦに着目した低消費電力化を実現することはできない。
【０００９】
本発明は、上記実情に鑑み、ＥＶＦを介して撮影者により視認される被写体像の視認性向上とＥＶＦに着目した低消費電力化とを両立させることができる、撮像装置、画像処理方法、及び画像処理プログラムを提供することを目的とする。
【課題を解決するための手段】
【００１０】
本発明の第１の態様に係る撮像装置は、電子ビューファインダを備えた撮像装置において、前記電子ビューファインダのファインダ光路中に挿抜可能な拡大用レンズと、前記ファインダ光路中に前記拡大用レンズを挿抜させる拡大用レンズ駆動部と、前記電子ビューファインダの表示部に表示させる表示画像を撮像画像から生成する画像生成部と、前記ファインダ光路中に前記拡大用レンズを挿抜させるように前記拡大用レンズ駆動部を制御すると共に、前記拡大用レンズの挿抜に応じて異なる表示画像を前記撮像画像から生成するように前記画像生成部を制御する制御部と、を具備することを特徴とする。
本発明の第２の態様に係る撮像装置は、上記第１の態様において、前記異なる表示画像は、異なる解像度の表示画像である、ことを特徴とする。
【００１１】
本発明の第３の態様に係る撮像装置は、上記第２の態様において、さらに、前記撮像装置は、撮影準備動作を指示するための第１の操作部と、記録用画像の撮像を指示するための第２の操作部と、を具備し、前記制御部は、前記第１の操作部の指示に応じて、前記ファインダ光路中に前記拡大用レンズを挿入させるように前記拡大用レンズ駆動部を制御すると共に、低解像度の表示画像を前記撮像画像から生成するように前記画像生成部を制御し、前記第２の操作部の指示に応じて、前記ファインダ光路中から前記拡大用レンズを抜出させるように前記拡大用レンズ駆動部を制御すると共に、高解像度の表示画像を前記撮像画像から生成するように前記画像生成部を制御する、ことを特徴とする。
【００１２】
本発明の第４の態様に係る撮像装置は、上記第１の態様において、さらに、前記撮像装置は、マクロモードを指示するためのマクロ操作部と、デジタルズームを指示するためのデジタルズーム操作部と、前記撮影レンズのテレ動作又はワイド動作を指示するための光学ズーム操作部と、を具備し、前記制御部は、前記デジタルズーム操作部の指示に応じて、前記ファインダ光路中に前記拡大用レンズを挿入させるように前記拡大用レンズ駆動部を制御すると共に、低解像度の表示画像を前記撮像画像から生成するように前記画像生成部を制御し、前記マクロ操作部又は前記光学ズーム操作部の指示に応じて、前記ファインダ光路中から前記拡大用レンズを抜出させるように前記拡大用レンズ駆動部を制御すると共に、高解像度の表示画像を前記撮像画像から生成するように前記画像生成部を制御する、ことを特徴とする。
【００１３】
本発明の第５の態様に係る撮像装置は、上記第１の態様において、さらに、前記撮像装置は、動作モードを指示するための動作モード操作部、を具備し、前記制御部は、前記動作モード操作部による特定の動作モードの指示に応じて、前記ファインダ光路中に前記拡大用レンズを挿入させるように前記拡大用レンズ駆動部を制御すると共に、低解像度の表示画像を前記撮像画像から生成するように前記画像生成部を制御する、ことを特徴とする。
【００１４】
本発明の第６の態様に係る撮像装置は、上記第５の態様において、前記特定の動作モードは、動きの早い被写体の撮影に適した動作モード、又は、動画撮影を可能にする動作モードである、ことを特徴とする。
【００１５】
本発明の第７の態様に係る撮像装置は、上記第１の態様において、前記撮像画像の取得に用いられる撮像素子は、隣接する複数の画素の電荷を加算して読み出す画素加算読み出しモードと全画素に対応する電荷を読み出す全画素読み出しモードとを含む複数の駆動モードを有する撮像素子であり、前記制御部は、前記撮像素子が画素加算読み出しモードで駆動する場合に、前記ファインダ光路中に前記拡大用レンズを挿入させるように前記拡大用レンズ駆動部を制御すると共に、低解像度の表示画像を前記撮像画像から生成するように前記画像生成部を制御し、前記撮像素子が全画素読み出しモードで駆動する場合に、前記ファインダ光路中から前記拡大用レンズを抜出させるように前記拡大用レンズ駆動部を制御すると共に、高解像度の表示画像を前記撮像画像から生成するように前記画像生成部を制御する、ことを特徴とする。
【００１６】
本発明の第８の態様に係る撮像装置は、電子ビューファインダを備えた撮像装置において、前記電子ビューファインダのファインダ光路中に挿抜可能な拡大用レンズと、前記ファインダ光路中に前記拡大用レンズが挿抜されたことを検出する拡大用レンズ検出部と、前記電子ビューファインダの表示部に表示させる表示画像を撮像画像から生成する画像生成部と、前記拡大用レンズ検出部の検出結果に応じて異なる解像度の表示画像を前記撮像画像から生成するように前記画像生成部を制御する制御部と、を具備することを特徴とする。
【００１７】
本発明の第９の態様に係る撮像装置は、上記第１乃至８の何れか一つの態様において、前記表示部は、液晶表示部又は有機ＥＬ表示部である、ことを特徴とする。
本発明の第１０の態様に係る画像処理方法は、コンピュータが、電子ビューファインダのファインダ光路中に拡大用レンズを挿抜させ、前記拡大用レンズの挿抜に応じて、前記電子ビューファインダの表示部に表示させる表示画像として異なる解像度の表示画像を撮像画像から生成する、処理を実行することを特徴とする。
【００１８】
本発明の第１１の態様に係る画像処理プログラムは、コンピュータに、電子ビューファインダのファインダ光路中に拡大用レンズを挿抜させ、前記拡大用レンズの挿抜に応じて、前記電子ビューファインダの表示部に表示させる表示画像として異なる解像度の表示画像を撮像画像から生成する、処理を実行させることを特徴とする。
【発明の効果】
【００１９】
開示の装置、方法、及びプログラムは、ＥＶＦを介して撮影者により視認される被写体像の視認性向上とＥＶＦに着目した低消費電力化とを両立させることができる、という効果を奏する。
【図面の簡単な説明】
【００２０】
【図１】第１の実施形態に係る撮像装置であるデジタルカメラの背面斜視図である。
【図２】第１の実施形態に係る撮像装置であるデジタルカメラの構成例を示す図である。
【図３】ＡＳＩＣのシステム構成例を示す図である。
【図４】第１センサ及び第２センサの配置例を説明する第１の図である。
【図５】第１センサ及び第２センサの配置例を説明する第２の図である。
【図６】第１センサ及び第２センサの配置例を説明する第３の図である。
【図７】第１の実施形態に係る撮像装置であるデジタルカメラの動作例を示すフローチャートである。
【図８】第１の実施形態に係る撮像装置であるデジタルカメラのＥＶＦ表示動作の詳細を示すフローチャートである。
【図９】通常モードによるＥＶＦ表示処理の詳細を示すフローチャートである。
【図１０】低消費電力モードによるＥＶＦ表示処理の詳細を示すフローチャートである。
【図１１】通常モードによるＥＶＦ表示時と低消費電力モードによるＥＶＦ表示時とを比較する図である。
【図１２Ａ】通常モードによるＥＶＦ表示処理又は低消費電力モードによるＥＶＦ表示処理が、他の検出の有無に応じても行われるようにしたときの動作例を示す第１のフローチャートである。
【図１２Ｂ】通常モードによるＥＶＦ表示処理又は低消費電力モードによるＥＶＦ表示処理が、他の検出の有無に応じても行われるようにしたときの動作例を示す第２のフローチャートである。
【図１２Ｃ】通常モードによるＥＶＦ表示処理又は低消費電力モードによるＥＶＦ表示処理が、他の検出の有無に応じても行われるようにしたときの動作例を示す第３のフローチャートである。
【図１３】第２の実施形態に係る撮像装置であるデジタルカメラの構成例を示す図である。
【図１４】第２の実施形態に係る撮像装置であるデジタルカメラのＥＶＦ表示動作の一例を示すフローチャートである。
【発明を実施するための形態】
【００２１】
以下、図面を参照しながら本発明の実施の形態を説明する。
＜第１の実施形態＞
はじめに、図１乃至６を用いて、第１の実施形態に係る撮像装置の構成例について説明する。
【００２２】
図１は、本実施形態に係る撮像装置であるデジタルカメラの背面斜視図である。なお、本実施形態では、このデジタルカメラを、撮影レンズ内蔵式のデジタルカメラとするが、撮影レンズ交換式のデジタルカメラとしてもよい。
【００２３】
図１に示したように、デジタルカメラ１００は、上面に、ＥＶＦ１０１、電源ボタン１０２、レリーズボタン１０３を備える。なお、レリーズボタン１０３は、第１の操作部と第２の操作部の一例である。
【００２４】
ＥＶＦ１０１は、撮影者により覗かれるファインダ接眼部１０１ａを備え、撮影者が合焦対象や構図の決定等を行う際に使用される。なお、本実施形態では、ＥＶＦ１０１を、デジタルカメラ１００から取り外し可能な外付型のＥＶＦとするが、デジタルカメラ１００に内蔵される内蔵型のＥＶＦとしてもよい。
【００２５】
電源ボタン１０２は、デジタルカメラ１００の電源をオンする指示またはオフする指示を行うためのボタンである。電源ボタン１０２においては、それが押下される毎に電源をオンする指示またはオフする指示が交互に行われる。
【００２６】
レリーズボタン１０３は、撮影準備動作の指示、撮影動作（記録用画像の撮像）の指示を行うためのボタンである。レリーズボタン１０３は二段階式のボタンであり、それが一段階目まで押下されると（半押しされると）撮影準備動作の指示が行われ、二段階目まで押下されると（全押しされると）撮影動作の指示が行われる。
【００２７】
また、デジタルカメラ１００は、側面に、ビデオ出力端子１０４、図示しないＵＳＢ（Universal Serial Bus）端子等を備える。
ビデオ出力端子１０４は、例えばテレビジョン等の外部表示装置へ撮影画像を表示する際に、ビデオケーブルが接続されて使用される。
【００２８】
図示しないＵＳＢ端子は、例えばＰＣ（Personal Computer）等の外部装置との間で通信を行う際に、ＵＳＢケーブルが接続されて使用される。
また、デジタルカメラ１００は、背面に、ズームボタン１０５、表示切替ボタン１０６、モードダイヤル１０７、十字ボタン１０８、ＯＫボタン１０９、メニューボタン１１０、削除ボタン１１１、背面液晶パネル１１２を備える。なお、モードダイヤル１０７は、動作モード操作部の一例である。
【００２９】
ズームボタン１０５は、ワイド（Ｗｉｄｅ）ボタン１０５ａ、テレ（Ｔｅｌｅ）ボタン１０５ｂを有する。なお、ズームボタン１０５は光学ズーム操作部の一例であり、ワイドボタン１０５ａはマクロ操作部の一例であり、テレボタン１０５ｂはデジタルズーム操作部の一例である。ワイドボタン１０５ａは、撮影レンズを広角側へ移動させる指示（撮影レンズのワイド動作の指示）、又は、動作モードをマクロモードへ切り替える指示を行うためのボタンである。ワイドボタン１０５ａにおいては、その押下に応じて撮影レンズを広角側へ移動させる指示が行われ、撮影レンズが最広角側へ移動した後もワイドボタン１０５ａが押下され続けられると、動作モードをマクロモードへ切り替える指示が行われる。テレボタン１０５ｂは、撮影レンズを望遠側へ移動させる指示（撮影レンズのテレ動作の指示）、又は、デジタルズーム（電子ズーム）による拡大を指示するためのボタンである。テレボタン１０５ｂにおいては、その押下に応じて撮影レンズを望遠側へ移動させる指示が行われ、撮影レンズが最望遠側へ移動した後もテレボタン１０５ｂが押下され続けられると、デジタルズームによる拡大が指示される。
【００３０】
表示切替ボタン１０６は、表示先をＥＶＦ１０１又は背面液晶パネル１１２へ切り替える指示を行うためのボタンである。表示切替ボタン１０６においては、それが押下される毎に、表示先をＥＶＦ１０１又は背面液晶パネル１１２へ切り替える指示が交互に行われる。これにより、その切り替えに応じた表示先に例えば画像等が表示される。
【００３１】
モードダイヤル１０７は、動作モードを切り替える指示を行うためのものである。本実施形態では、モードダイヤル１０７の回転位置により、静止画撮影モード、動画撮影モード、スポーツモード、再生モードを含む複数の動作モードの中から一つの動作モードへ切り替える指示が行われる。なお、静止画撮影モードは静止画撮影を可能にする動作モードであり、動画撮影モードは動画撮影を可能にする動作モードであり、スポーツモードは動きの早い被写体の撮影に適した動作モードであり、再生モードは後述の記録媒体に記録された撮影画像の再生を可能にする動作モードである。
【００３２】
十字ボタン１０８は、上下左右の４方向に操作することにより、背面液晶パネル１１２に表示された被選択対象（例えばメニュー項目など）を選択する指示を行うためのボタンである。
ＯＫボタン１０９は、十字ボタン１０８により選択された被選択対象を確定する指示を行うためのボタンである。
【００３３】
メニューボタン１１０は、背面液晶パネル１１２にメニュー画面を表示する指示を行うためのボタンである。メニュー表示中は、上記ＯＫボタン１０９による確定指示を解除する働きを指示をするためのボタンである。
削除ボタン１１１は、記録媒体に記録された撮影画像の中から十字ボタン１０８とＯＫボタン１０９により選択、確定された一つ以上の撮影画像を削除する指示を行うためのボタンである。
【００３４】
背面液晶パネル１１２は、画像、メニュー画面等を表示する表示部である。
図２は、デジタルカメラ１００の構成例を示す図である。
図２に示したように、デジタルカメラ１００は、撮影レンズ１２１、レンズシャッター１２２、ＣＣＤ（Charge Coupled Device）１２３、ＡＳＩＣ（Application Specific Integrated Circuit）１２４、ＥＶＦ１０１、操作部１２５、電源部１２６、ビデオ出力端子１０４、背面液晶パネル表示制御部１２７、背面液晶パネル１１２、ＳＤＲＡＭ（Synchronous Dynamic Random Access Memory）１２８、ＦＬＡＳＨメモリ１２９、記録媒体１３０、撮影レンズ制御部１３１、露光機構１３２、絞り機構１３３を含む。
【００３５】
撮影レンズ１２１は、ＣＣＤ１２３の受光面に被写体像を形成するためのレンズ群であり、フォーカスレンズ（焦点調節用レンズ）、ズームレンズ（変倍用レンズ）を含む。
レンズシャッター１２２は、複数の羽根を開閉させて露光を行う方式のシャッターであり、ＣＣＤ１２３の受光面に形成される被写体像の光量を制限する絞りも兼ねる。
【００３６】
ＣＣＤ１２３は、受光面に形成された被写体像をアナログ電気信号に変換し、ＣＤＳ（Correlated Double Sampling）、ＡＧＣ（Automatic Gain Control）等の処理を行う。なお、ＣＣＤ１２３は撮像素子の一例であり、ＣＣＤ１２３の代わりに、ＣＭＯＳ（Complementary Metal Oxide Semiconductor）等の他の種類の撮像素子を用いるようにしてもよい。
【００３７】
ＡＳＩＣ１２４は、図３を用いて後述するように、画像処理、入出力（Ｉ／Ｏ）処理、各部の制御処理など、各種の処理を行う。
ＥＶＦ１０１は、ＥＶＦパネル表示制御部１３４、ＥＶＦパネル１３５、標準用ＥＶＦレンズ１３６、拡大用ＥＶＦレンズ１３７、ＥＶＦレンズ制御部１３８、第１センサ１３９、第２センサ１４０を含む。なお、拡大用ＥＶＦレンズ１３７は拡大用レンズの一例であり、ＥＶＦレンズ制御部１３８は拡大用レンズ駆動部の一例であり、第１センサ１３９と第２センサ１４０は拡大用レンズ検出部の一例である。
【００３８】
ＥＶＦパネル表示制御部１３４は、ＡＳＩＣ１２４により出力される制御信号及び表示データ（例えば高解像度画像データや低解像度画像データ等）に基づいて、ＥＶＦパネル１３５の表示制御を行う。
【００３９】
ＥＶＦパネル１３５は、例えば液晶パネルであり、ＥＶＦパネル表示制御部１３４の制御の下に、表示データに応じた表示（例えば高解像度画像や低解像度画像等の表示）を行う。
【００４０】
標準用ＥＶＦレンズ１３６は、ＥＶＦパネル１３５に表示された画像をアイポイント１４１に形成するためのレンズである。なお、アイポイント１４１とは、仕様により定められた、ファインダ接眼部１０１ａを覗く撮影者の目の位置である。
【００４１】
拡大用ＥＶＦレンズ１３７は、ＥＶＦ１０１のファインダ光路中に挿抜可能であり、標準用ＥＶＦレンズ１３６によりアイポイント１４１に形成される画像を拡大するためのレンズである。これにより、拡大用ＥＶＦレンズ１３７がファインダ光路中から抜出されているときに標準用ＥＶＦレンズ１３６によりアイポイント１４１に形成される画像は、拡大用ＥＶＦレンズ１３７がファインダ光路中に挿入されることによって、拡大されることになる。本実施形態では、ＥＶＦパネル１３５に高解像度画像が表示され且つファインダ光路中から拡大用ＥＶＦレンズ１３７が抜出されているときにアイポイント１４１に形成される画像の大きさと、ＥＶＦパネル１３５に低解像度画像が表示され且つファインダ光路中に拡大用ＥＶＦレンズ１３７が挿入されているときにアイポイント１４１に形成される画像の大きさとが同じになるように構成されている。
【００４２】
ＥＶＦレンズ制御部１３８は、ＡＳＩＣ１２４により出力される制御信号に基づいて、ファインダ光路中に拡大用ＥＶＦレンズ１３７を挿抜させるための制御を行う。
第１センサ１３９は、ファインダ光路中から拡大用ＥＶＦレンズ１３７が抜出されたことを検出するためのセンサであり、検出結果をＡＳＩＣ１２４へ出力する。
【００４３】
第２センサ１４０は、ファインダ光路中に拡大用ＥＶＦレンズ１３７が挿入されたことを検出するためのセンサであり、検出結果をＡＳＩＣ１２４へ出力する。
なお、第１センサ１３９及び第２センサ１４０の配置位置に関しては、図４、図５、図６を用いて後述する。
【００４４】
操作部１２５は、電源ボタン１０２、レリーズボタン１０３、ズームボタン１０５（ワイドボタン１０５ａ、テレボタン１０５ｂ）、表示切替ボタン１０６、モードダイヤル１０７、十字ボタン１０８、ＯＫボタン１０９、メニューボタン１１０、削除ボタン１１１を含む複数の操作部材を有し、これらの操作部材の操作状態を検出し、その検出結果をＡＳＩＣ１２４へ出力する。
【００４５】
電源部１２６は、電源管理を行う。電源部１２６は、例えば、図示しない電池（一次電池、二次電池）の残量を検出し、その検出結果をＡＳＩＣ１２４へ出力する。また、電源部１２６は、例えば、ＡＳＩＣ１２４により出力される制御信号に基づいて、各部への電源供給を制御する。
【００４６】
ビデオ出力端子１０４は、ＡＳＩＣ１２４により出力されるビデオ信号を外部へ出力するための端子である。
背面液晶パネル表示制御部１２７は、ＡＳＩＣ１２４により出力される制御信号及び表示データ（例えば画像データ）に基づいて、背面液晶パネル１１２の表示制御を行う。
背面液晶パネル１１２は、背面液晶パネル表示制御部１２７の制御の下に、表示データに応じた表示（例えば画像表示）を行う。
【００４７】
ＳＤＲＡＭ１２８は、ＡＳＩＣ１２４内で処理されるデータを一次記憶するメモリである。例えば、ＡＳＩＣ１２４内の後述のＡ／Ｄ変換部により出力される画像データや、ＡＳＩＣ１２４内の後述の画像処理部による処理中の画像データ等を一次記憶する。
【００４８】
ＦＬＡＳＨメモリ１２９は、ＡＳＩＣ１２４内の後述のＣＰＵにより実行されるプログラムや、そのプログラムの実行中に使用される各種データ等を記憶している。
記録媒体１３０は、デジタルカメラ１００に着脱自在なメモリカード等の記録媒体であり、撮影画像を記録する。なお、記録媒体１３０は、着脱自在なものに限らず、デジタルカメラ１００に内蔵される不揮発性メモリやハードディスク等であっても良い。
【００４９】
撮影レンズ制御部１３１は、ＡＳＩＣ１２４により出力される制御信号に基づいて、撮影レンズ１２１（フォーカスレンズ、ズームレンズ）の駆動を制御する。
露光機構１３２は、ＡＳＩＣ１２４により出力される露光に関する制御信号に基づいて、レンズシャッター１２２の駆動を制御する。これにより、露光が制御される。
【００５０】
絞り機構１３３は、ＡＳＩＣ１２４により出力される絞りに関する制御信号に基づいて、レンズシャッター１２２の駆動を制御する。これにより、絞りが制御される。
【００５１】
図３は、ＡＳＩＣ１２４のシステム構成例を示す図である。
図３に示したように、ＡＳＩＣ１２４は、Ａ／Ｄ変換部１４１、画像処理部１４２、表示制御部１４３、メカトロ制御部１４４、ＵＳＢ通信部１４５、Ｉ／Ｏ部１４６、メモリＩ／Ｏ部１４７、ＣＰＵ１４８と、その各部が接続されるデータバス１４９とを含み、各部が互いにデータの送受が可能なように構成されている。なお、画像処理部１４２は画像生成部の一例であり、ＣＰＵ１４８は制御部の一例である。
【００５２】
Ａ／Ｄ変換部１４１は、ＣＣＤ１２３により出力されたアナログ電気信号である画像データを、デジタル電気信号である画像データに変換する。なお、Ａ／Ｄ変換部１４１により出力されたデジタル電気信号である画像データ（撮像画像の画像データ）は、メモリＩ／Ｏ部１４７を介してＳＤＲＡＭ１２８に一次記憶される。
【００５３】
画像処理部１４２は、各種の画像処理を行う。例えば、Ａ／Ｄ変換部１４１により出力されてＳＤＲＡＭ１２８に一次記憶された画像データから、ＥＶＦパネル１３５に表示する高解像度画像や低解像度画像の画像データを生成する。また、例えば、Ａ／Ｄ変換部１４１により出力されてＳＤＲＡＭ１２８に一次記憶された画像データから、背面液晶パネル１１２に表示する画像の画像データを生成する。また、例えば、Ａ／Ｄ変換部１４１により出力されてＳＤＲＡＭ１２８に一次記憶された画像データから、ビデオ信号用の画像データを生成する。
【００５４】
表示制御部１４３は、表示先に応じた表示制御処理を行う。例えば、表示先がＥＶＦパネル１３５である場合には、対応する制御信号および表示データ（例えば高解像度画像データや低解像度画像データ）をＥＶＦパネル表示制御部１３４へ出力する。また、例えば、表示先が背面液晶パネル１１２である場合には、対応する制御信号および表示データを背面液晶パネル表示制御部１２７へ出力する。また、例えば、表示先がテレビジョン等の外部表示装置（ビデオ出力端子１０４にビデオケーブルを介して接続された外部表示装置）である場合には、表示データをビデオ信号に変換し、ビデオ出力端子１０４へ出力する。
【００５５】
メカトロ制御部１４４は、撮影レンズ１２１（フォーカスレンズ、ズームレンズ）の駆動、レンズシャッター１２２の駆動、拡大用ＥＶＦレンズ１３７の駆動等のメカトロ制御処理を行う。例えば、撮影レンズ１２１（フォーカスレンズ、ズームレンズ）の駆動を制御するために、撮影レンズ制御部１３１へ制御信号を出力する。また、例えば、露光のためのレンズシャッター１２２の駆動を制御するために、露光機構１３２へ制御信号を出力する。また、例えば、絞りのためのレンズシャッター１２２の駆動を制御するために、絞り機構１３３へ制御信号を出力する。また、例えば、拡大用ＥＶＦレンズ１３７の駆動を制御するために、ＥＶＦパネル表示制御部１３４へ制御信号を出力すると共に、第１センサ１３９及び第２センサ１４０により出力される検出結果を受信する。
【００５６】
ＵＳＢ通信部１４５は、図示しないＵＳＢ端子にＵＳＢケーブルを介して接続された外部装置（例えばＰＣ）との間で通信を行う。
Ｉ／Ｏ部１４６は、操作部１２５、電源部１２６、又は記録媒体１３０との間でのデータの入出力を制御する。
【００５７】
メモリＩ／Ｏ部１４７は、ＳＤＲＡＭ１２８との間でのデータの入出力を制御する。
ＣＰＵ１４８は、ＦＬＡＳＨメモリ１２９に記憶されているプログラムを読み出し実行することによって、デジタルカメラ１００全体の動作を制御する。
【００５８】
なお、デジタルカメラ１００は、制御、演算、記憶、入力、出力の機能要素を含むことから、コンピュータを含む撮像装置でもある。
図４、図５、図６は、第１センサ１３９及び第２センサ１４０の配置例を説明する図である。
【００５９】
図４、図５、図６において、その各図上段は、拡大用ＥＶＦレンズ１３７に対する第１センサ１３９及び第２センサ１４０の配置例を示す。但し、その各図上段においては、図の手前側をアイポイント側とし、図の奥側をＥＶＦパネル１３５側とする。また、その各図上段において、実線により示す拡大用ＥＶＦレンズ１３７及びその保持枠１３７ａは、拡大用ＥＶＦレンズ１３７が退避位置に存在する状態を示し、点線により示す拡大用ＥＶＦレンズ１３７及びその保持枠１３７ａは、拡大用ＥＶＦレンズ１３７が挿入位置に存在する状態を示す。ここで、退避位置とは、ファインダ光路中から拡大用ＥＶＦレンズ１３７が完全に脱出された状態のときの位置を示す。また、挿入位置とは、ファインダ光路中に拡大用ＥＶＦレンズ１３７が完全に挿入された状態のときの位置を示す。
【００６０】
図４、図５、図６において、その各図下段は、拡大用ＥＶＦレンズ１３７の位置に応じた第１センサ１３９及び第２センサ１４０の出力例（検出結果例）を示す。なお、その各図下段において、「退避位置」、「挿入位置」は、上述のとおりである。また、「移動中」は、拡大用ＥＶＦレンズ１３７が、「退避位置」から「挿入位置」へ、又は、「挿入位置」から「退避位置」へ移動中である状態を示す。
【００６１】
図４に示した配置例では、拡大用ＥＶＦレンズ１３７が「退避位置」に存在する場合には、第１センサ１３９がＯＮ、第２センサ１４０がＯＦＦという検出結果が得られる。拡大用ＥＶＦレンズ１３７が「移動中」である場合には、第１センサ１３９及び第２センサ１４０が共にＯＮという検出結果が得られる。拡大用ＥＶＦレンズ１３７が「挿入位置」に存在する場合には、第１センサ１３９がＯＦＦ、第２センサ１４０がＯＮという検出結果が得られる。
【００６２】
図５に示した配置例では、拡大用ＥＶＦレンズ１３７が「退避位置」に存在する場合には、第１センサ１３９がＯＮ、第２センサ１４０がＯＦＦという検出結果が得られる。拡大用ＥＶＦレンズ１３７が「移動中」である場合には、第１センサ１３９がＯＮ、第２センサ１４０がＯＦＦという検出結果が得られる。拡大用ＥＶＦレンズ１３７が「挿入位置」に存在する場合には、第１センサ１３９がＯＦＦ、第２センサ１４０がＯＮという検出結果が得られる。
【００６３】
図６に示した配置例では、拡大用ＥＶＦレンズ１３７が「退避位置」に存在する場合には、第１センサ１３９がＯＮ、第２センサ１４０がＯＦＦという検出結果が得られる。拡大用ＥＶＦレンズ１３７が「移動中」である場合には、第１センサ１３９及び第２センサ１４０が共にＯＦＦという検出結果が得られる。拡大用ＥＶＦレンズ１３７が「挿入位置」に存在する場合には、第１センサ１３９がＯＦＦ、第２センサ１４０がＯＮという検出結果が得られる。
【００６４】
例えば、これらの配置例の何れかを採用することにより、第１センサ１３９及び第２センサ１４０の検出結果に応じて、拡大用ＥＶＦレンズ１３７が「退避位置」又は「挿入位置」に存在するのか、或いは「移動中」であるのかの判定が可能となる。
【００６５】
なお、第１センサ１３９及び第２センサ１４０の配置は、これらの配置例に限らず、ファインダ光路中に拡大用ＥＶＦレンズ１３７が挿抜されたことを検出可能であるならば、他の配置例を採用してもよい。また、本実施形態では、第１センサ１３９と第２センサ１４０という２つのセンサを用いてファインダ光路中に拡大用ＥＶＦレンズ１３７が挿抜されたことを検出するようにしているが、一つのみのセンサを用いて、それを検出するようにしてもよい。図６で、さらに、第一センサと、第二センサとの間に移動中を検出する第３センサを設けることで、より精度良く拡大用ＥＶＦレンズ１３７の位置を検出できる。
コストが上がるが、分解能の高いリニアセンサを設けることで、より高精度にレンズ位置を検出することも可能である。
【００６６】
次に、図７乃至図１１を用いて、本実施形態に係る撮像装置であるデジタルカメラ１００の動作例について説明する。なお、本動作例においては、デジタルカメラ１００の動作モードがモードダイヤル１０７により静止画撮影モードにされているものとする。
【００６７】
図７は、デジタルカメラ１００の動作例を示すフローチャートである。
なお、このフローチャートは、ＣＰＵ１４８がＦＬＡＳＨメモリ１２９に記憶されているプログラムを読み出し実行することによって行われるものである。
【００６８】
図７に示したように、本動作が開始すると、ＣＰＵ１４８は、デジタルカメラ１００の電源がオン状態であるか否かを判定する（Ｓ１１）。なお、ＣＰＵ１４８は、デジタルカメラ１００の電源がオフ状態であるときに電源ボタン１０２の押下を検出すると、デジタルカメラ１００の電源をオン状態へ移行し、デジタルカメラ１００の電源がオン状態であるときに電源ボタン１０２の押下を検出すると、デジタルカメラ１００の電源をオフ状態へ移行する。
【００６９】
Ｓ１１の判定において、その判定結果がＮｏの場合、ＣＰＵ１４８は、本動作を終了し、再度電源ボタン１０２が押下されるまで待機状態となる。
一方、Ｓ１１の判定結果がＹｅｓの場合、ＣＰＵ１４８は、表示先がＥＶＦパネル１３５であるか、又は、それ以外（例えば背面液晶パネル１１２や外部表示装置）であるかを判定する（Ｓ１２）。なお、この判定は、次のようにして行われる。ビデオ出力端子１０４に外部表示装置（例えばテレビジョン）が接続されている場合、ＣＰＵ１４８は、表示先が外部表示装置（すなわちＥＶＦパネル１３５以外）であると判定する。一方、ビデオ出力端子１０４に外部表示装置が接続されておらず且つデジタルカメラ１００の電源がオン状態であるときに、表示切替ボタン１０６の押下を一度も検出しなかった場合または偶数回検出していた場合、ＣＰＵ１４８は、表示先が背面液晶パネル１１２（すなわちＥＶＦパネル１３５以外）であると判定する。或いは、ビデオ出力端子１０４に外部表示装置が接続されておらず且つデジタルカメラ１００の電源がオン状態であるときに表示切替ボタン１０６の押下を奇数回検出していた場合、ＣＰＵ１４８は、表示先がＥＶＦパネル１３５であると判定する。
【００７０】
Ｓ１２の判定において、その判定結果がＥＶＦパネル１３５以外である場合、ＣＰＵ１４８は、ＥＶＦパネル１３５以外へ表示を行うというＥＶＦ以外の表示動作を行う（Ｓ１３）。
【００７１】
一方、Ｓ１２の判定結果がＥＶＦパネル１３５である場合、ＣＰＵ１４８は、ＥＶＦパネル１３５へ表示を行うというＥＶＦ表示動作を行う（Ｓ１４）。なお、このＥＶＦ表示動作の詳細は、図８を用いて後述する。
【００７２】
Ｓ１３又はＳ１４の後は、処理がＳ１１へ戻る。
図８は、ＥＶＦ表示動作（Ｓ１４）の詳細を示すフローチャートである。
なお、本動作例では、デジタルカメラ１００の動作モードがモードダイヤル１０７により静止画撮影モードにされているとしたことから、このＥＶＦ表示動作では、後述するように、ＥＶＦパネル１３５にスルー画像が表示される。スルー画像とは、ＣＣＤ１２３の受光面に形成されている被写体像に応じた画像をリアルタイムに表示するようにしたときの画像のことを言い、ライブビュー画像とも言う。
【００７３】
図８に示したように、本動作が開始すると、ＣＰＵ１４８は、通常モードによるＥＶＦ表示処理を行う（Ｓ２１）。なお、通常モードによるＥＶＦ表示処理とは、通常時のＥＶＦ表示処理のことを言う。この通常モードによるＥＶＦ表示処理では、詳しくは図９を用いて後述するように、拡大用ＥＶＦレンズ１３７をファインダ光学系から抜出すると共に、ＥＶＦパネル１３５に高解像度のスルー画像を表示することが開始される。
【００７４】
続いて、ＣＰＵ１４８は、１ｓｔレリーズを検出しているか否かを判定する（Ｓ２２）。なお、１ｓｔレリーズとは、レリーズボタン１０３が一段階目まで押下されること（半押しされること）を言う。
【００７５】
Ｓ２２の判定結果がＮｏの場合、処理がリターンする。
一方、Ｓ２２の判定結果がＹｅｓの場合、ＣＰＵ１４８は、撮影レンズ１２１（フォーカスレンズ）を駆動して合焦動作を行い（Ｓ２３）、そして合焦したか否かを判定する（Ｓ２４）。ここで、その判定結果がＮｏの場合には、処理がＳ２３へ戻る。
【００７６】
一方、Ｓ２４の判定結果がＹｅｓの場合、ＣＰＵ１４８は、低消費電力モードによるＥＶＦ表示処理を行う（Ｓ２５）。なお、低消費電力モードによるＥＶＦ表示処理とは、デジタルカメラ１００の低消費電力化に有効なＥＶＦ表示処理のことを言う。この低消費電力モードによるＥＶＦ表示処理では、詳しくは図１０を用いて後述するように、拡大用ＥＶＦレンズ１３７をファインダ光学系へ挿入すると共に、ＥＶＦパネル１３５に低解像度のスルー画像を表示することが開始される。
【００７７】
続いて、ＣＰＵ１４８は、２ｎｄレリーズを検出したか否かを判定する（Ｓ２６）。なお、２ｎｄレリーズとは、レリーズボタン１０３が二段階目まで押下されること（全押しされること）を言う。
【００７８】
Ｓ２６の判定結果がＮｏの場合、本判定を繰り返す。
なお、Ｓ２２がＹｅｓになってからＳ２６がＹｅｓになる前までの間に、ＣＰＵ１４８が１ｓｔレリーズの解除を検出した場合（レリーズボタン１０３の押下を検出しなくなった場合）には、図示を省略するが、処理が例えばＳ２１へ戻る。
【００７９】
一方、Ｓ２６の判定結果がＹｅｓの場合、ＣＰＵ１４８は、Ｓ２１と同様に、通常モードによるＥＶＦ表示処理を行う（Ｓ２７）。
続いて、ＣＰＵ１４８は、記録画像となり得る静止画像の撮像を行い（Ｓ２８）、それを記録媒体１３０へ記録する（Ｓ２９）。なお、Ｓ２９では、記録前に、その静止画像を背面液晶パネル１１２に表示し、それを確認した撮影者の指示に応じて、その静止画像を記録するようにしてもよい。
【００８０】
Ｓ２９の後は、処理がリターンする。
このように、図８に示したＥＶＦ表示動作では、１ｓｔレリーズが検出されている場合に、低消費電力モードによるＥＶＦ表示（拡大用ＥＶＦレンズ１３７挿入、低解像度スルー画像表示）が行われ、それ以外の場合には、通常モードによるＥＶＦ表示（拡大用ＥＶＦレンズ１３７抜出、高解像度スルー画像表示）が行われる。
【００８１】
なお、図８に示したＥＶＦ表示動作において、１ｓｔレリーズが検出されてない場合に通常モードによるＥＶＦ表示が行われる理由は、例えば、次のような理由による。撮影者は、１ｓｔレリーズを行う前において、ＥＶＦ１０１を介して視認されるスルー画像を確認しながら合焦対象（例えば特定の人や顔等）の決定を行うものと考えられる。そうすると、撮影者が１ｓｔレリーズを行う前、すなわち、１ｓｔレリーズが検出されていない場合において、撮影者に視認されるスルー画像の解像度は高解像度である必要があると考えられるからである。一方、１ｓｔレリーズが検出されている場合に低消費電力モードによるＥＶＦ表示が行われる理由は、低消費電力化のためであることは勿論のこと、更に、例えば、次のような理由による。撮影者は、合焦後に１ｓｔレリーズの保持を行っている間において、ＥＶＦ１０１を介して視認されるスルー画像を確認しながらパン、チルトといったフレーミングを行って構図の決定を行うものと考えられる。そうすると、撮影者が１ｓｔレリーズを行っている間、すなわち、１ｓｔレリーズが検出されている場合において、撮影者に視認されるスルー画像の解像度は高解像度である必要はなく、低解像度で十分であると考えられるからである。
【００８２】
図９は、通常モードによるＥＶＦ表示処理（Ｓ２１）の詳細を示すフローチャートである。
図９に示したように、本処理が開始すると、ＣＰＵ１４８は、拡大用ＥＶＦレンズ１３７をファインダ光路中から抜出させるための制御を開始する（Ｓ３１）。これにより、拡大用ＥＶＦレンズ１３７のファインダ光路中からの抜出が開始される。なお、その抜出は、ＥＶＦレンズ制御部１３８により行われる。
【００８３】
続いて、ＣＰＵ１４８は、ＥＶＦパネル１３５に表示させる高解像度（例えば１０２４×７６８）のスルー画像の画像データを生成するための制御を開始する（Ｓ３２）。これにより、その高解像度のスルー画像の画像データの生成が開始される。なお、この生成は、画像処理部１４２により行われる。また、その高解像度のスルー画像の画像データは、ＣＣＤ１２３及びＡ／Ｄ変換部１４１を介して得られる画像データ（撮像画像の画像データ）から生成される。
【００８４】
続いて、ＣＰＵ１４８は、その高解像度のスルー画像の画像データを伝送するための制御を開始する（Ｓ３３）。これにより、その高解像度のスルー画像の画像データの伝送が開始される。なお、この伝送は表示制御部１４３により行われ、その高解像度のスルー画像の画像データはＥＶＦパネル表示制御部１３４へ伝送される。
【００８５】
続いて、ＣＰＵ１４８は、ファインダ光路中から拡大用ＥＶＦレンズ１３７が抜出完了したか否かを判定する（Ｓ３４）。なお、この判定は、第１センサ１３９及び第２センサ１４０の検出結果に基づいて行われる。例えば、図４に示した配置例では、第１センサ１３９の出力がＯＮ、第２センサ１４０の出力がＯＦＦである場合に、ファインダ光路中から拡大用ＥＶＦレンズ１３７が抜出完了したと判定する。
【００８６】
Ｓ３４の判定において、その判定結果がＮｏの場合には、本判定を繰り返す。
一方、Ｓ３４の判定結果がＹｅｓの場合には、処理がリターンする。
図１０は、低消費電力モードによるＥＶＦ表示処理（Ｓ２５）の詳細を示すフローチャートである。
【００８７】
図１０に示したように、本処理が開始すると、ＣＰＵ１４８は、拡大用ＥＶＦレンズ１３７をファインダ光路中に挿入させるための制御を開始する（Ｓ４１）。これにより、拡大用ＥＶＦレンズ１３７のファインダ光路中への挿入が開始される。なお、その挿入は、ＥＶＦレンズ制御部１３８により行われる。
【００８８】
続いて、ＣＰＵ１４８は、ＥＶＦパネル１３５に表示させる低解像度（例えば８００×６００）のスルー画像の画像データを生成するための制御を開始する（Ｓ４２）。これにより、その低解像度のスルー画像の画像データの生成が開始される。なお、この生成は、画像処理部１４２により行われる。また、その低解像度のスルー画像の画像データは、ＣＣＤ１２３及びＡ／Ｄ変換部１４１を介して得られる画像データ（撮像画像の画像データ）から生成される。画像データには、拡大用ＥＶＦレンズ１３７を挿入することにより発生する歪曲収差や、色味を補正する画像処理を行う。
【００８９】
続いて、ＣＰＵ１４８は、その低解像度のスルー画像の画像データを伝送するための制御を開始する（Ｓ４３）。これにより、その低解像度のスルー画像の画像データの伝送が開始される。なお、この伝送は表示制御部１４３により行われ、その低解像度のスルー画像の画像データはＥＶＦパネル表示制御部１３４へ伝送される。
【００９０】
続いて、ＣＰＵ１４８は、ファインダ光路中へ拡大用ＥＶＦレンズ１３７が挿入完了したか否かを判定する（Ｓ４４）。なお、この判定は、第１センサ１３９及び第２センサ１４０の検出結果に基づいて行われる。例えば、図４に示した配置例では、第１センサ１３９の出力がＯＦＦ、第２センサ１４０の出力がＯＮである場合に、ファインダ光路中へ拡大用ＥＶＦレンズ１３７が挿入完了したと判定する。
Ｓ４４の判定において、その判定結果がＮｏの場合には、本判定を繰り返す。
一方、Ｓ４４の判定結果がＹｅｓの場合には、処理がリターンする。
【００９１】
このように、低消費電力モードによるＥＶＦ表示処理が行われると、ＥＶＦパネル１３５に表示されるスルー画像の解像度が低解像度になるので、取り扱うデータ量が少なくなり、スルー画像の生成や伝送等の処理に関係する各部（例えばＡＳＩＣ１２４、ＥＶＦパネル表示制御部１３４、ＥＶＦパネル１３５等）の負荷が軽減される。結果として、ＥＶＦ１０１に着目した低消費電力化を図ることができる。また、低消費電力モードによるＥＶＦ表示処理が行われると、ＥＶＦパネル１３５に表示されるスルー画像の解像度は低解像度になるものの、撮影者により視認されるスルー画像の大きさは、拡大用ＥＶＦレンズ１３７の挿入によって、通常モードによるＥＶＦ表示処理が行われたときに撮影者により視認されるスルー画像の大きさと同じになる。従って、通常モードによるＥＶＦ表示処理が行われたときと、低消費電力モードによるＥＶＦ表示処理が行われたときとの間では、撮影者に視認されるスルー画像の大きさに変化はなく、ＥＶＦ１０１の使用上、撮影者に違和感を与えることはない。すなわち、視認上の違和感を大きく損なうことなく低消費電力を行なうことが可能となる。
【００９２】
図１１は、通常モードによるＥＶＦ表示時と低消費電力モードによるＥＶＦ表示時とを比較する図である。
なお、図１１において、左側（図１１の(ａ)、（ｂ）、（ｃ））は、通常モードによるＥＶＦ表示時の状態を示し、右側（図１１の(ｄ)、（ｅ）、（ｆ））は、低消費電力モードによるＥＶＦ表示時の状態を示している。
【００９３】
また、図１１において、最上段（図１１の（ａ）、（ｄ））は、ＥＶＦパネル１３５に表示されるスルー画像の一例を示している。なお、この実施形態では、ＥＶＦパネル１３５が表示可能な最大解像度を１０２４×７６８とする。また、図１１において、中段（図１１の（ｂ）、（ｅ））は、拡大用ＥＶＦレンズ１３７の挿抜状態を示している。また、図１１において、最下段（図１１の（ｃ）、（ｆ））は、撮影者に視認されるスルー画像の一例を示している。
【００９４】
図１１において、ＥＶＦパネル１３５に表示されるスルー画像の解像度は、図１１の最上段に示したように、通常モードによるＥＶＦ表示時には高解像度（ここでは１０２４×７６８とする）になるのに対し、低消費電力モードによるＥＶＦ表示時には低解像度（ここでは８００×６００とする）になる。また、拡大用ＥＶＦレンズ１３７の挿抜状態は、図１１の中段に示したように、通常モードによるＥＶＦ表示時には抜出状態になるのに対し、低消費電力モードによるＥＶＦ表示時には挿入状態になる。一方、撮影者に視認されるスルー画像の大きさは、図１１の最下段に示したように、通常モードによるＥＶＦ表示時と低消費電力モードによるＥＶＦ表示時との間で同じになる。これは、低消費電力モードによるＥＶＦ表示時には、ＥＶＦパネル１３５に表示されるスルー画像の解像度が低解像度になるものの、そのスルー画像がファインダ光路中に挿入されている拡大用ＥＶＦレンズ１３７により拡大されて撮影者に視認されるからである。
【００９５】
以上、本実施形態に係る撮像装置であるデジタルカメラ１００によれば、低消費電力モードによるＥＶＦ表示処理によって、ファインダ光路中に拡大用ＥＶＦレンズ１３７が挿入されると共に、ＥＶＦパネル１３５に表示されるスルー画像が低解像度になることにより、ＥＶＦ１０１を介して撮影者により視認される被写体像の視認性向上とＥＶＦ１０１に着目した低消費電力化とを両立させることができる。
【００９６】
なお、本実施形態に係る撮像装置であるデジタルカメラ１００では、通常モードによるＥＶＦ表示処理又は低消費電力モードによるＥＶＦ表示処理が、１ｓｔレリーズ又は２ｎｄレリーズの検出の有無に応じて行われていたが、他の検出の有無に応じて行われてもよい。ここで、他の検出としては、例えば、ズームボタン１０５（ワイドボタン１０５ａ、テレボタン１０５ｂ）によるテレ動作、デジタルズーム、ワイド動作、マクロモードの検出や、モードダイヤル１０７による動作モード（動画撮影モード、スポーツモード等）の検出や、ＣＣＤ１２３の駆動モードの検出等が考えられる。
【００９７】
なお、ＣＣＤ１２３は、駆動モードとして、隣接する複数の画素の電荷を加算して読み出す画素加算読み出しモードと、全画素に対応する電荷を読み出す全画素読み出しモードとを含む複数の駆動モードを有する。ここで、画素加算読み出しモードにおける画素加算とは、画素混合とも言われ、隣接する複数の画素を１画素とすることにより、１画素あたりの受光量を高めて高感度ノイズを低減する技術である。この技術では、隣接する４画素を１画素とする４画素加算や、中心画素と隣接画素とを１画素とする９画素加算等の方法がある。この画素加算により、等価的に受光面の面積が、例えば４画素加算では４倍に、９画素加算では９倍になり、高感度撮影に有効である。また、この画素加算により画素数が減少することから、転送データ量が少なくなり、低消費電力化に貢献する。ＣＣＤ１２３は、通常時には全画素読み出しモードにより駆動し、例えば被写界が暗い場合には画素加算読み出しモードにより駆動するように、ＣＰＵ１４８により制御される。被写界の明暗は、例えば、ＣＣＤ１２３や図示しないＡＥ（Automatic Exposure）センサにより被写界輝度を検出し、その検出結果に応じてＣＣＤ１２３により判定される。或いは、ＣＣＤ１２３の撮像ノイズ量を検出し、その検出結果に応じて画素加算読み出しモードによる駆動が行われてもよい。若しくは、メニュー画面を介して、撮影者による手動によりＣＣＤ１２３の駆動モードの選択が行われてもよい。また、加算する画素数も、メニュー画面を介して、撮影者による手動により指定されてもよい。
【００９８】
図１２（図１２Ａ、図１２Ｂ、図１２Ｃ）は、通常モードによるＥＶＦ表示処理又は低消費電力モードによるＥＶＦ表示処理が、上述のように、他の検出の有無に応じても行われるようにしたときの動作例を示すフローチャートである。
【００９９】
なお、このフローチャートも、ＣＰＵ１４８がＦＬＡＳＨメモリ１２９に記憶されているプログラムを読み出し実行することによって行われるものである。
図１２において、Ｓ５１乃至Ｓ５３は、Ｓ１１乃至Ｓ１３（図７参照）の処理と同様である。但し、Ｓ５３の後は、処理が後述のＳ７３へ進む。また、Ｓ５２の判定がＥＶＦパネル１３５の場合に続くＳ５４乃至Ｓ６２は、Ｓ２１乃至Ｓ２９（図８参照）の処理と同様である。よって、これらの処理については説明を割愛する。
【０１００】
Ｓ６２の後、ＣＰＵ１４８は、ズームボタン１０５（ワイドボタン１０５ａ、ズームボタン１０５ｂ）の押下によりテレ動作、デジタルズーム、ワイド動作、マクロモードへの切り替えの何れかが行われたか否かを判定する（Ｓ６３）。
【０１０１】
Ｓ６３の判定結果がデジタルズームの場合、ＣＰＵ１４８は、低消費電力モードによるＥＶＦ表示処理（図１０参照）を行い（Ｓ６４）、Ｓ６６へ進む。なお、このようにデジタルズームが行われる場合には、デジタルズームによる拡大により解像度の低下が生じることから、低消費電力モードでのＥＶＦ表示処理による低解像度スルー画像標示が行われたとしても、撮影者に視認上の違和感を与えることはない。
【０１０２】
或いは、Ｓ６３の判定結果が、テレ動作、ワイド動作、マクロモードへの切り替えの何れかである場合、ＣＰＵ１４８は、通常モードによるＥＶＦ表示処理（図９参照）を行い（Ｓ６５）、Ｓ６６へ進む。
【０１０３】
一方、Ｓ６３の判定結果が、テレ動作、デジタルズーム、ワイド動作、マクロモードへの切り替えの何れでもない場合、処理がＳ６６へ進む。
続いて、ＣＰＵ１４８は、モードダイヤル１０７の回転位置により動作モードが動画撮影モードであるか否かを判定する（Ｓ６６）。ここで、その判定結果がＮｏの場合、処理がＳ６８へ進む。
【０１０４】
一方、Ｓ６６の判定結果がＹｅｓの場合、ＣＰＵ１４８は、低消費電力モードによるＥＶＦ表示処理（図１０参照）を行い（Ｓ６７）、Ｓ６８へ進む。なお、動作モードが動画撮影モードである場合には、動画撮影待機中（動画撮影準備中）に限らず、動画撮影中にも低消費電力モードによるＥＶＦ表示処理を行うようにしてもよい。
【０１０５】
続いて、ＣＰＵ１４８は、モードダイヤル１０７の回転位置により動作モードがスポーツモードであるか否かを判定する（Ｓ６８）。ここで、その判定結果がＮｏの場合、処理がＳ７０へ進む。
【０１０６】
一方、Ｓ６８の判定結果がＹｅｓの場合、ＣＰＵ１４８は、低消費電力モードによるＥＶＦ表示処理（図１０参照）を行い（Ｓ６９）、Ｓ７０へ進む。なお、Ｓ６９では、スルー画像のフレームレートを高くするようにしてもよい。例えば、そのフレームレートを、スポーツモード時には６０フレーム／秒とし、他の場合には３０フレーム／秒としてもよい。低消費電力モードによるＥＶＦ表示処理では、スルー画像の解像度が低解像度になることで取り扱うデータ量が少なくなり、負荷が軽減されることから、スルー画像のフレームレートを高くすることは容易に行うことができる。
【０１０７】
続いて、ＣＰＵ１４８は、ＣＣＤ１２３の駆動モードが画素加算読み出しモードであるか否かを判定する（Ｓ７０）。ここで、その判定結果がＮｏの場合、処理がＳ７２へ進む。
【０１０８】
一方、Ｓ７０の判定結果がＹｅｓの場合、ＣＰＵ１４８は、低消費電力モードによるＥＶＦ表示処理（図１０参照）を行い（Ｓ７１）、Ｓ７２へ進む。なお、このようにＣＣＤ１２３の駆動モードが画素加算読み出しモードである場合には、画素加算により解像度の低下が生じることから、低消費電力モードでのＥＶＦ表示処理による低解像度スルー画像表示が行われたとしても、撮影者に視認上の違和感を与えることはない。
【０１０９】
続いて、ＣＰＵ１４８は、表示先の切り替えが行われたか否かを判定する（Ｓ７２）。なお、この表示先の切り替えは、表示切替ボタン１０６の押下や外部表示装置との接続が検出されることにより行われる。ここで、外部表示装置との接続とは、ビデオ出力端子１０４にビデオケーブルを介して外部表示装置が接続されることをいう。
【０１１０】
Ｓ７２の判定結果がＹｅｓの場合、ＣＰＵ１４８は、表示切替ボタン１０６の押下又は外部表示装置との接続に応じて、表示先を背面液晶パネル１１２又は外部表示装置とし、処理がＳ５２へ戻る。
【０１１１】
一方、Ｓ７２の判定結果がＮｏの場合、ＣＰＵ１４８は、デジタルカメラ１００の電源がオン状態であるか否かを判定する（Ｓ７３）。ここで、その判定結果がＹｅｓの場合には処理がＳ５５へ戻り、Ｎｏの場合には処理がＳ５１へ戻る。
【０１１２】
このように、図１２に示した動作例によれば、通常モードによるＥＶＦ表示処理又は低消費電力モードによるＥＶＦ表示処理が、更に、ズームボタン１０５によるテレ動作、デジタルズーム、ワイド動作、マクロモードの検出や、モードダイヤル１０７による動画撮影モード、スポーツモードの検出や、ＣＣＤ１２３の駆動モードの検出に応じて行われるようになる。
【０１１３】
＜第２の実施形態＞
第２の実施形態に係る撮像装置は、拡大用ＥＶＦレンズが手動により挿抜可能に構成された点が第１の実施形態と異なる。それに伴って、本実施形態に係る撮像装置の構成及び動作は、その一部が、次に説明するように、第１の実施形態と異なる。
【０１１４】
図１３は、本実施形態に係る撮像装置であるデジタルカメラの構成例を示す図である。なお、図１３において、図２に示した要素と同一の要素には同一の符号を付している。
図１３に示したように、デジタルカメラ１００は、ＥＶＦ１０１における拡大用ＥＶＦレンズ１３７が撮影者により手動で挿抜可能に構成されている。拡大用ＥＶＦレンズ１３７に直接、手を触れて操作するのではなく、拡大用ＥＶＦレンズ１３７を保持するレンズホルダー（不図示）にノブやツマミのような把持部（不図示）を設け、その把持部を操作する。従って、本実施形態では、図２に示したＥＶＦレンズ制御部１３８は含まれていない。その他の構成については、図２を用いて説明したとおりであるので説明を割愛する。
【０１１５】
このような構成に伴い、図１３に示したデジタルカメラ１００では、図７に示したＥＶＦ表示動作（Ｓ１４）として、図８に示したＥＶＦ表示動作の代わりに、次のようなＥＶＦ表示動作が行われる。
【０１１６】
図１４は、そのＥＶＦ表示動作の一例を示すフローチャートである。
図１４に示したように、本動作が開始すると、ＣＰＵ１４８は、ファインダ光路中から拡大用ＥＶＦレンズ１３７が抜出されたか否かを判定する（Ｓ８１）。なお、この判定は、第１センサ１３９及び第２センサ１４０の検出結果に基づいて行われる。例えば、図４に示した配置例では、第１センサ１３９の出力がＯＮ、第２センサ１４０の出力がＯＦＦである場合に、ファインダ光路中から拡大用ＥＶＦレンズ１３７が抜出されたと判定する。
【０１１７】
Ｓ８１の判定結果がＮｏの場合、処理がＳ８４へ進む。
一方、Ｓ８１の判定結果がＹｅｓの場合、ＣＰＵ１４８は、高解像度（例えば１０２４×７６８）のスルー画像の画像データを生成するための制御を開始し（Ｓ８２）、その高解像度のスルー画像の画像データを伝送するための制御を開始する（Ｓ８３）。これにより、その高解像度のスルー画像の画像データの生成及び伝送が開始される。なお、このＳ８２及びＳ８３は、Ｓ３２及びＳ３３（図９参照）の処理と同様であり、第１の実施形態で説明した通常モードによるＥＶＦ表示処理に対応する。
【０１１８】
続いて、ＣＰＵ１４８は、ファインダ光路中へ拡大用ＥＶＦレンズ１３７が挿入されたか否かを判定する（Ｓ８４）。なお、この判定は、第１センサ１３９及び第２センサ１４０の検出結果に基づいて行われる。例えば、図４に示した配置例では、第１センサ１３９の出力がＯＦＦ、第２センサ１４０の出力がＯＮである場合に、ファインダ光路中へ拡大用ＥＶＦレンズ１３７が挿入されたと判定する。
【０１１９】
Ｓ８４の判定結果がＮｏの場合、処理がリターンする。
一方、Ｓ８４の判定結果がＹｅｓの場合、ＣＰＵ１４８は、低解像度（例えば８００×６００）のスルー画像の画像データを生成するための制御を開始し（Ｓ８５）、その低解像度のスルー画像の画像データを伝送するための制御を開始する（Ｓ８６）。これにより、その低解像度のスルー画像の画像データの生成及び伝送が開始される。なお、Ｓ８５及びＳ８６は、Ｓ４２及びＳ４３（図１０参照）の処理と同様であり、第１の実施形態で説明した低消費電力モードによるＥＶＦ表示処理に対応する。
【０１２０】
このように、図１４に示したＥＶＦ表示動作では、拡大用ＥＶＦレンズ１３７の抜出が検出された場合に、ＥＶＦパネル１３５に高解像度スルー画像表示が行われ、拡大用ＥＶＦレンズ１３７の挿入が検出された場合に、ＥＶＦパネル１３５に低解像度スルー画像表示が行われる。
【０１２１】
以上、本実施形態に係る撮像装置であるデジタルカメラ１００によれば、拡大用ＥＶＦレンズ１３７の挿入が検出された場合に低解像度スルー画像表示が行われることによって、ＥＶＦ１０１に着目した低消費電力化を図ることができる。また、撮影者により視認されるスルー画像の大きさは、拡大用ＥＶＦレンズ１３７が抜出されているときに撮影者により視認されるスルー画像の大きさと同じになることから、撮影者に視認上の違和感を大きく損なうことがない。よって、ＥＶＦ１０１に着目した低消費電力化を確立させることができる。
【０１２２】
なお、上述の各実施形態では、ＥＶＦパネル１３５を液晶パネルとしたが、例えば、それを有機ＥＬ（Electro Luminescence）パネルとしてもよい。有機ＥＬパネルは、使用する表示領域が少なくなるほど消費電力が少なくなることから、これを採用することにより、より一層、ＥＶＦ１０１に着目した低消費電力化を図ることができる。
【０１２３】
また、上述の各実施形態では、撮像装置をデジタルカメラとしたが、例えば、それを、デジタルビデオカメラ等、ＥＶＦ（外付型又は内蔵型）を備えたものであれば他の種類の撮像装置であってもよい。
【０１２４】
その他に、本実施形態では、拡大用ＥＶＦレンズの拡大率を１種類としたが、異なる拡大率の拡大用レンズを複数設けて配置し、拡大率に応じた異なる解像度の画像を表示することで、用途に応じて２段階、３段階の低消費電流モードを提供することも可能である。
以上、実施の形態を説明したが、本発明は、上述した実施の形態に限定されることなく、本発明の要旨を逸脱しない範囲内で種々の改良・変更が可能である。
【符号の説明】
【０１２５】
１００    デジタルカメラ
１０１    ＥＶＦ
１０１ａ  ファインダ接眼部
１０２    電源ボタン
１０３    レリーズボタン
１０４    ビデオ出力端子
１０５    ズームボタン
１０５ａ  ワイドボタン
１０５ｂ  テレボタン
１０６    表示切替ボタン
１０７    モードダイヤル
１０８    十字ボタン
１０９    ＯＫボタン
１１０    メニューボタン
１１１    削除ボタン
１１２    背面液晶パネル
１２１    撮影レンズ
１２２    レンズシャッター
１２３    ＣＣＤ
１２４    ＡＳＩＣ
１２５    操作部
１２６    電源部
１２７    背面液晶パネル表示制御部
１２８    ＳＤＲＡＭ
１２９    ＦＬＡＳＨメモリ
１３０    記録媒体
１３１    撮影レンズ制御部
１３２    露光機構
１３３    絞り機構
１３４    ＥＶＦパネル表示制御部
１３５    ＥＶＦパネル
１３６    標準用ＥＶＦレンズ
１３７    拡大用ＥＶＦレンズ
１３７ａ  レンズ枠
１３８    ＥＶＦレンズ制御部
１３９    第１センサ
１４０    第２センサ
１４１    Ａ／Ｄ変換部
１４２    画像処理部
１４３    表示制御部
１４４    メカトロ制御部
１４５    ＵＳＢ通信部
１４６    Ｉ／Ｏ部
１４７    メモリＩ／Ｏ部
１４８    ＣＰＵ
１４９    データバス
【図２】
2014064094.tif 000003
【図３】
2014064094.tif 000004
【図４】
2014064094.tif 000005
【図５】
2014064094.tif 000006
【図６】
2014064094.tif 000007
【図７】
2014064094.tif 000008
【図８】
2014064094.tif 000009
【図９】
2014064094.tif 000010
【図１０】
2014064094.tif 000011
【図１２Ａ】
2014064094.tif 000012
【図１２Ｂ】
2014064094.tif 000013
【図１２Ｃ】
2014064094.tif 000014
【図１４】
2014064094.tif 000015
【図１】
2014064094.tif 000016
【図１１】
2014064094.tif 000017
【図１３】
2014064094.tif 000018